(57)【要約】  本発明は、表面を照らす照明器具であって、光線を出射する光源と、反射デバイスであって、前記表面の主要領域２７を照らすための一次光線に従う前記光線の方向を変える主要反射部材５０であって、前記光線は前記表面に対して斜めに方向づけられ、前記主要領域２７の端部１１は頂点２９を有する曲線７であって、前記曲線７と交差せず、前記頂点２９から所定の距離離れた参照ライン６０が規定される、主要反射部材５０と、各二次光線に従って、前記曲線と前記参照ラインとの間に位置する各二次領域３３，３３１，３５，３５１，３６，３６１を照らすよう前記主要反射部材に対して設計及び配置された、二次凹面反射要素４０とを有する、反射デバイスとを有する、照明器具に関する。また、本発明は光学的アクセサリーにも関する。
2014525656.tif 000002
【特許請求の範囲】
【請求項１】
光線を出射する光源と反射デバイスとを有する、表面を照らす照明器具であって、
前記反射デバイスは、
前記表面の主要領域を照らすため、一次光線に従って光線の方向を変える主要反射部材であって、光線が前記表面に対して斜めに方向づけられ、前記主要領域の端部が頂点を有する曲線を規定し、前記曲線と交差せず、前記頂点から所定の距離離れた参照ラインが規定される、前記主要反射部材と、
各二次光線に従って、前記曲線と前記参照ラインとの間に位置する各二次領域を照らすよう前記主要反射部材に対して設計及び配置された、二次凹面反射要素とを有する、
照明器具。
【請求項２】
前記参照ラインは、前記頂点の接線に平行である、請求項１に記載の照明器具。
【請求項３】
前記二次反射要素は、合わせて、ある平面に対して対称な反射アセンブリを形成する、請求項１に記載の照明器具。
【請求項４】
前記二次反射要素は、隣接する反射扇形である、請求項１に記載の照明器具。
【請求項５】
前記二次反射要素は、端部が楕円、平面、又は円関数等の切断関数に従って切断された反射扇形である、請求項１に記載の照明器具。
【請求項６】
前記二次凹面反射要素のうちの少なくとも１つが、前記光源の中心を含み、対応する二次領域を指す二次軸に従って方向づけられている、請求項１に記載の照明器具。
【請求項７】
前記二次凹面反射要素のうちの少なくとも１つの形状が、楕円状扇形である、請求項１乃至６のいずれか一項に記載の照明器具。
【請求項８】
前記楕円状扇形のうちの少なくとも１つは二次軸に従って方向づけられ、前記楕円の第１焦点及び第２焦点は前記第２軸上に配置される、請求項７に記載の照明器具。
【請求項９】
前記第２凹面反射要素は、合わせて、ある平面に対して対称な反射アセンブリを形成する、少なくとも２つの隣接する楕円状扇形を有する、請求項７に記載の照明器具。
【請求項１０】
前記第２凹面反射要素は、前記主要反射部材内に配置又は固定された一体的アクセサリーを形成する、請求項１乃至９のいずれか一項に記載の照明器具。
【請求項１１】
前記二次凹面反射要素は、前記主要反射部材と一体的に形成されている、請求項１乃至９のいずれか一項に記載の照明器具。
【請求項１２】
前記二次凹面反射要素は、前記照明器具が前記表面に対して斜めに配置されたとき、前記反射デバイスの前記表面に最も近い側に配置される、請求項１乃至１１のいずれか一項に記載の照明器具。
【請求項１３】
前記二次凹面反射要素は、前記二次領域の存在の結果、前記主要照明領域の前記曲線を平坦にするように各二次領域を照らすよう設計及び方向づけられている、請求項１乃至１２のいずれか一項に記載の照明器具。
【請求項１４】
光源を含む照明器具の主要反射部材内に固定又は配置される光学アクセサリーであって、前記主要反射部材は、照らされる表面の主要領域を照らすための一次光線に従って、前記光源によって出射された光線の方向を変え、前記光線は、前記表面に対して斜めに方向づけられ、前記主要領域の端部は頂点を有する曲線を規定し、前記曲線と交差せず、前記頂点から所定の距離離れた参照ラインが規定され、前記光学アクセサリーは、各二次光線に従って、前記曲線と前記参照ラインとの間に位置する各二次領域を照らすよう設計及び方向づけられた二次反射要素を有する、光学アクセサリー。
【請求項１５】
前記二次反射要素は、楕円状扇形を有する、請求項１４に記載の光学アクセサリー。
【発明の詳細な説明】
【技術分野】
【０００１】
本発明は、表面を照らすための照明器具であって、
−光源と、
−前記表面の主要領域を照らすための光線が前記表面に対して斜め向きになるよう、前記光線の方向を変えるよう設計及び方向づけられた反射板と
を有する、照明器具に関する。
【０００２】
このような斜め向きの照明器具は、ダウンライト、例えばウォール・ウォッシャー（照らされる表面が壁）として使用され得る。
【背景技術】
【０００３】
上記既知の反射板は、光路の妨害を防ぐとともに嵩を減らすために、パラボラ状、半球状、又は円錐状であり、（照らされる）表面の近くに斜めに配置される。
【０００４】
光線は斜めの方向を有するため、照明器具からの光線と照らされる表面との交差は、頂部より底部で大きい照明表面を提供する（照明器具が表面の頂部の近くに配置される場合）。照明表面の頂部の縁は頂点を有する曲線を規定し、この曲線は照明器具の端部の光カットオフに対応する。
【０００５】
この不均等照明は、特に表面の頂部において大きな要素（例えば壁表面上の棚）を照らさなければならない場合、望ましくない可能性がある。
【発明の概要】
【発明が解決しようとする課題】
【０００６】
本発明の目的は、照らす表面上の照明の均等性を向上させることである。
【０００７】
本発明の他の目的は、光カットオフに対応する照明部分において照明の均等性を向上させることであり、特に、照明領域と非照明領域との間に大きく又は滑らかな分離をもたらすことである。
【０００８】
本発明の他の目的は、斜め向きに方向づけられた反射板を維持しつつ、光カットオフにおいて平坦な形状（あまり曲がっていない形状）を有する主要照明領域を得ることである。
【０００９】
本発明は、請求項１に記載の照明器具を提案することによってこれらの目的を果たそうとする。
【００１０】
請求項１に記載の「距離」はゼロ以上でもよいことに留意されたい。
【００１１】
本発明は、上記曲線に近い表面の照明を増大するための二次光線に従って光源からの光の一部の方向を変えるために、反射板自体を改変すること又は反射板にアクセサリーを加えることを提案する。
【００１２】
言い換えれば、本発明は、二次領域又は光スポットによって、主要領域の曲線状端部に隣接し、所定のラインによって限定される照明領域を拡大する。
【００１３】
特に、上記頂点に近い照明部分は、上記曲線に隣接し、二次光線から得られる二次光領域又はスポットの存在によって拡大され、上記参照ラインが真っ直ぐな場合、曲線はそれに従ってオフセット及び／又は平坦化される。
【００１４】
特に、より四角い照明表面を得ることができる。
【００１５】
また、これらの二次光線は、これらの二次光線が存在しなければ、上記主要領域の外側で、上記曲線に隣接する曲線状の暈（上記主要領域の光強度より著しく低く、光カットオフ効果に対応）により照らされる表面の部分を完全に照らすことを可能にする。この暈は照明表面と非照明正面との間に明確且つはっきりとした分離を与えないため、この暈は望ましくない照明効果である。本発明は、表面から暈を除く又は減少させることを可能にし、したがって照明器具によって提供される照明の品質を向上させる。
【００１６】
よって、本発明はより優れた照明効果及びより効果的な光エネルギー使用を提供する。
【００１７】
照明器具は、請求項２に記載の照明器具でもよい。
【００１８】
したがって、本発明は、上記領域の平坦で、より四角く、且つ／又はより幅広い端部を可能にし、表面上の主要領域の限界において幾分か大きな領域を照明することを可能にし、より優れた照明効果及びより効果的な光の使用を提供する。
【００１９】
照明器具は、請求項３に記載の照明器具でもよい。
【００２０】
対称配置は、上記曲線と上記参照ラインとの間に規定された領域において、二次光線によって上記平面に対して対称な照明を得ることを可能にする。このオプションは、主要領域もまた上記平面に対して対称である場合に有効である。なぜなら、最終的な照明表面が対称なままになるからである。
【００２１】
照明器具は、請求項４に記載の照明器具でもよい。
【００２２】
したがって、反射要素は一体的に１つの部品として製造されてもよい。
【００２３】
また、扇形の隣接は、上記曲線と上記参照ラインとの間に規定される領域の最終的な照明がより均質になるよう複数の二次光線の端部を重複させる上で、有用であり得る。
【００２４】
照明器具は、請求項５に記載の照明器具でもよい。  
【００２５】
この関数の等式、及び「切断」関数が適用される二次反射要素の高さは、二次光線の幅、よって対応する二次照明領域のサイズ及び表面上での位置をいくらか拡大するよう選択され得る。この切断関数は、特に、照明表面の底部又は頂部の光束を分配することを可能にする。また、関数は、照明器具の設計及び製造段階において実施が容易である。
【００２６】
照明器具は、請求項６に記載の照明器具でもよい。
【００２７】
この構成は、二次光線の光の使用及びガイドを最適化し、光源への逆反射を防ぐ。
【００２８】
反射要素のうちの１つが反射凹面楕円状扇形である特定の場合（請求項８）、楕円の第１焦点及び第２焦点は好ましくはともに二次軸上に配置される。特に、第１焦点を光源に配置し、二次ビームを光源から二次照明領域に直接導くよう光源（第１焦点）のまわりに回転配置された複数の楕円状扇形を有することは、理にかなっている。
【００２９】
照明器具は、請求項７に記載の照明器具でもよい。
【００３０】
楕円は光線の形状に近く、よって光源への逆反射を最大限防ぐ。
【００３１】
また、楕円はパラメータ化が容易な特定の正方形（又は二次式）形状を有してもよい。
【００３２】
それにも関わらず、当業者は、周知の設計方法を使用し、例えば特定の一次反射板のための光学的計算又はモデリングに基づいて、二次反射要素の他のタイプの形状を設計して、上記曲線と上記参照ラインとの間に延在する領域を照らす上記二次光線を得てもよい。当業者は、例えば円筒、円錐、ｎ次の多項式に基づいて二次要素の他の形状を設計してもよい。
【００３３】
照明器具は、請求項９に記載の照明器具でもよい。
【００３４】
この対称配置は、上記曲線と上記参照ラインとの間に規定される領域上に、二次光線による上記平面に対して対称な照明を規定することを可能にする。このオプションは、主要領域もまた上記平面に対して対称な場合、特に有用である。なぜなら、最終的な照明表面が対称なままになるからである。
【００３５】
楕円の個数が奇数である場合、二次反射要素は中央楕円（対称の平面は、この中央楕円の中心を通る）、及び中央楕円の両側に対称に設けられた側方楕円を有する。
【００３６】
楕円の個数が偶数である場合、二次反射要素は平面の両側に対称に設けられた側方楕円である。
【００３７】
いずれの場合においても、楕円の個数、又はより広義には二次反射要素の個数は、要求される照明の品質の程度に応じて適合される。通常、楕円の個数が多ければ多いほど、上記曲線と上記参照ラインとの間の領域が均等に照らされ、光強度が主要領域に近く、照明表面と非照明表面との間の分離が滑らか又は明確になる。したがって、当業者は、二次反射要素の複雑性（及び費用）と提供される照明の品質との間で妥協を見つけようとするであろう。
【００３８】
照明器具は、請求項１０に記載の照明器具でもよい。
【００３９】
この実施形態は、二次反射要素をアクセサリーとして、主要反射部材から独立して製造することを可能にし、これはアクセサリーの設計に柔軟性を与える。
【００４０】
また、複数の異なるアクセサリーを同一の主要反射部材とともに用いてもよく、この場合、異なる照明効果の可能性が提供される。当業者は、第１光学的構成を有する第１アクセサリーを第２光学的構成を有する第２アクセサリーによって置き換えることを想到でき、よって同じ照明器具を使用しながら、必ずしも照明器具を取り換える又は再調整せずに、照明効果を変更することを想到できる。
【００４１】
照明器具は、請求項１１に記載の照明器具でもよい。
【００４２】
この実施形態は、二次反射要素を主要反射要素とともに製造することを可能にし、これは反射デバイス全体の製造コストを減少させる。
【００４３】
照明器具は、請求項１２に記載の照明器具でもよい。
【００４４】
通常、反射デバイスの光カットオフによって得られる、照明表面（「主要領域」）の端部において見える光屈曲は、この端部が表面に近い反射デバイスの側の光カットオフに対応する場合、この端部が表面から遠い反射デバイスの側の光カットオフに対応する場合より、重要である。
【００４５】
したがって、この重要な屈曲を減少させるために、表面に近い反射デバイスの側に二次反射要素を提供することは理にかなう。
【００４６】
照明器具は、請求項１３に記載の照明器具でもよい。
【００４７】
第２実施形態によれば、本発明は請求項１４又は１５に記載の光学的アクセサリーを提案する。
【００４８】
第３実施形態によれば、本発明は上記照明器具のウォール・ウォッシャーとしての使用を提案し、この実施形態において、上記表面は壁である。
【図面の簡単な説明】
【００４９】
本発明の他の特徴及び利点は、非限定的な例及び以下の図面を参照して提供される、下記の一実施形態の詳細な説明から明らかになるであろう。
【００５０】
【図１】図１は、ウォール・ウォッシャーシステムの簡略化された側面図を示す。
【図２】図２は、図１のウォール・ウォッシャーシステムによって照らされる壁の頂部のシミュレーションを示す。
【図３】図３は、本発明に係る二次光学デバイスを示す。
【図４Ａ】図４Ａは、主要反射部材及び図３の二次光学デバイスを含む照明器具の反射デバイスの底面斜視図を示す。
【図４Ｂ】図４Ｂは、主要反射部材及び図３の二次光学デバイスを含む照明器具の反射デバイスの底面図を示す。
【図５Ａ】図５Ａは、照明器具によって出射された二次光線及び一次光線の方向を含む、図４Ａ及び図４Ｂの照明器具の底面図を示す。
【図５Ｂ】図５Ｂは、照明器具によって出射された二次光線及び一次光線の方向を含む、図４Ａ及び図４Ｂの照明器具の底面図を示す。
【図５Ｃ】図５Ｃは、照明器具によって出射された二次光線及び一次光線の方向を含む、図４Ａ及び図４Ｂの照明器具の底面図を示す。
【図５Ｄ】図５Ｄは、照明器具によって出射された二次光線及び一次光線の方向を含む、図４Ａ及び図４Ｂの照明器具の底面図を示す。
【図６Ａ】図６Ａは、本発明に係る照明器具（８つの楕円状扇形を有する）の理論的な二次光線（光の円錐）を概略的に示す。
【図６Ｂ】図６Ｂは、本発明に係る照明器具（８つの楕円状扇形を有する）の表面上の照明効果を概略的に示す。
【図６Ｃ】図６Ｃは、本発明に係る照明器具（８つの楕円状扇形を有する）の表面上の照明効果を概略的に示す。
【図７】図７は、本発明の二次光学デバイスを有さない図４Ａ及び図４Ｂの照明器具を使用した壁照明のシミュレーション結果を示す。
【図８】図８は、本発明の二次光学デバイスを有する図４Ａ及び図４Ｂの照明器具を使用した壁照明のシミュレーション結果を示す。
【発明を実施するための形態】
【００５１】
図１は、動作中の概略的な照明システムであって、
−照らされる表面２（この場合は壁）と、
−表面２の大部分を照らすよう、表面２に対して斜めに方向づけられた照明器具１とを有する、照明システムを示す。この照明器具は、光源（例えば、白熱灯、蛍光灯、放電ランプ、及び／又は発光ダイオード（ＬＥＤ））と、光線３を成形して表面２に向けるために光反射性の内表面を有する反射デバイスとを有する。
【００５２】
光線３は、上記反射部材の形状、特に反射部材の端部１３によって決定されるビーム角を有する。この端部１３は実際には光カットオフとして作用し、光線３の外縁を決定する。例として、端部１３の第１端部は端部１３の表面２に最も近い部分であり、光線３の第１外周部３１を決定する。端部１３の表面２から最も遠い部分である端部１３の第２端部１２は、光線３の第２外周部３２を決定する。
【００５３】
従来技術の反射デバイスは、通常軸に対して対称であり、パラボラ状、半球状、又は円錐状である。
【００５４】
このような既知の斜め向きの反射デバイスによって出射された光線３の表面２への投射は、図２のように表面２の主要領域２７を照らす（このシミュレーションは、左右に配置され、２つの主要領域２７及び２７’を照らす２つの照明器具１によって実行される）。表面２の頂部９において、主要領域２７は、第１端部１１の光カットオフに対応し、頂点２９を有する曲線７によって限定される。また、光カットオフ効果のため、上記曲線７から他の曲線８まで暈（ハロ）２８（主要領域２７より光強度が著しく低い）が現れる。
【００５５】
暈２８の存在は通常望ましくなく、特に室内照明には望ましくない。
【００５６】
また、複数の照明器具１が並んで用いられる場合、２つの主要領域２７及び２７’は、頂部暗領域によって分離され、これは、通常は望ましくないし、特に曲線７及び７’と重なる部分の表面２（又は表面２の要素）を照らさなければならない場合に望ましくない。
【００５７】
発明者が取り組んだこれらの課題を解決するために、主要反射部材５０とともに二次光学素子４０を有する反射デバイスを提供することが提案される（図３、図４Ａ、及び図４Ｂ参照）。
【００５８】
主要反射部材５０は、上記従来技術の反射デバイスと同様でもよい。しかし、この主要反射部材５０は軸に対して対称又は非対称でもよく、任意の形状、例えばパラボラ状、楕円、半球、円錐、二次式（又は四角）、及び／又は任意の多項式関数に基づく形状を有してもよい。好ましくは、主要反射部材５０は回転ビーム３を生成するために設計される。光源を配置するために、主要反射部材５０の片側にスルーホール５１を設けてもよい。
【００５９】
図３に示すように、二次光学素子４０はアクセサリー（付属品）でもよく、また主要反射部材５０と一体的に形成されてもよい。二次光学素子４０の片側に、主要反射部材５０のスルーホール５１と合致するようスルーホール４９を設けてもよい。
【００６０】
本発明のこの特定の実施形態において、二次光学素子４０は、平面９０に対してペアで対称に配置された、隣接する反射凹面伸長扇形４３−４３’，４５−４５’，４６−４６’を有する。これらの反射扇形は、片側はスルーホール４９で限定され、他の側では端部４１によって限定される。
【００６１】
二次光学素子４０は主要反射部材５０内に配置され、好ましくは主要反射部材５０の第１端部１１のまわりに配置され（主要反射部材５０のうち、表面２に最も近い部分）、対称の平面９０は表面２に最も近い第１端部１１の点を含む。
【００６２】
反射扇形４３−４３’，４５−４５’，４６−４６’の形状及び方向は、光源からの光の一部の方向を表面２に対して再方向付けして照明表面（主要表面２７）を増大し、また、より四角い照明表面を作り出すことによって表面２の頂部９に近い光線３の均等性を向上させる。
【００６３】
図４Ａ，４Ｂ，５Ｃ，５Ｄに示すように、反射扇形（４３，４３’，４５，４５’，４６，４６’）は、各二次光線（３３，３３’，３５，３５’，３６，３６’）、及び上記曲線７上に位置する各二次領域に従って、所定の領域を照らすよう主要反射部材５０に対して設計及び配置される。
【００６４】
本発明に基づく二次光学素子による光効果の説明のために、図６Ａ、図６Ｂ及び図６Ｃは、８つの楕円状扇形（図示なし）からなる二次光学素子４０によって得られた配光を概念的に示す。これらの反射扇形は、各二次光線（９３，９３’，９４，９４’，９５，９５’，９６，９６’）、及び上記曲線７の上方に位置する各二次領域（２３，２３’，２４，２４’，２５，２５’，２６，２６’）に基づき、
−この曲線７と、
−曲線７の上方又は曲線７の頂点９０から所定の距離上方の参照ライン６０（すなわち、この参照ライン６０は上記主要領域２７と交差しない）との間に延びる領域を照らすよう、主要対称部材５０に対して設計及び配置される。特定の場合、参照ライン６０は曲線７の頂点９０における接線に平行であるか、曲線７の頂点９０における接線である。
【００６５】
この領域を新しい二次光線（３３，３３’，３５，３５’，３６，３６’、又は９３，９３’，９４，９４’，９５，９５’，９６，９６’）によって照らすことにより、図８に示すように表面２の頂部は、より四角い（すなわち、暗領域６が少ない）又は平坦で、限定された暈及び幅広い照明バンドを有する照明領域２７”に従って照らされる。この領域における光の均一性は、反射扇形を、表面２上で隣接する二次領域（２３，２３’，２４，２４’，２５，２５’，２６，２６’）の重複を生成するように配置することによってさらに最適化できる。
【００６６】
特定の場合において、反射扇形（４３，４３’，４５，４５’，４６，４６’）は、光源の中心を含み、対応する二次照明領域に向かって方向づけられる各二次軸（３３，３３’，３５，３５’，３６，３６’）に従って方向づけられる。この場合、可能な限り光源への逆反射を避け、各二次領域への各二次光線に添うよう、反射扇形（二次反射要素）は各軸に沿って伸長されている。
【００６７】
特定の場合において、これらの反射扇形（４３，４３’，４５，４５’，４６，４６’）は楕円状であり、すなわち、楕円からなる。特に、これらの楕円は、大きな反射を伴わないよう光源から表面２への二次光線の導光を最適化するために、二次軸を軸とする回転楕円体でもよく、各楕円は各二次軸（３３，３３’，３５，３５’，３６，３６’）上に第１焦点及び第２焦点を有し、特に第１焦点が光源に配置される。
【００６８】
各楕円の偏心及び楕円の数は、照らされる表面２上に必要な均一性と関連する。言い換えれば、偏心及び楕円の数は、埋められるべき上記領域（曲線７と参照ライン６０との間）上の「ブラックホール」の重要性及び領域位置に依存する。
【００６９】
図５Ａ〜図５Ｄは、本発明に係る二次光学素子を設計する例示的な方法の工程を示す。まず、光源及び主要反射部材が、表面２（図示なし）の主要領域を照らすように配置される。次に、設計者は、二次光学素子４０を用いて表面２上に照らしたい二次領域の数、位置、及びサイズを選択する。これらの二次領域は、主要領域２７の曲線７と参照ライン６０との間に配置される。図５Ａに示すように、続いて二次領域の中心（この特定の場合、６つの二次領域が存在する）と光源の中心が結ばれ、二次軸３３，３３’，３５，３５’，３６，３６’が決定される。次に、これらの二次軸に対する回転楕円体１４’が、焦点が各二次軸３３，３３’，３５，３５’，３６，３６’上に配置される基準楕円から構成される。上記のように、楕円の位置及び特性は、当業者によって、最小の楕円を用いて許容可能な照明結果を得られるよう選択される。図５Ｂに示すように、主要反射部材５０の内表面に面する楕円の外表面の部分は、楕円状凹面表面を規定する二次光学素子の内表面である。上記のように、二次光学素子の内表面はある切断関数（例えば、楕円状、楕円、円状、又は平面関数）に従ってさらに切断される。
【００７０】
光学システムの一例は、左右に並べられた２つの照明器具１を有する。
−システムの要素を位置決めするために２つの直交（ｘ，ｙ，ｚ）基準が用いられ、ｘ軸及びｚ軸は表面２に平行であり、ｚ軸は対称の平面９０内に含まれ、両基準はさらに表面２に垂直なｙ軸を有し、各基点（０，０，０）は各照明器具１の光源に配置される。
−照明器具１の光源は、表面２から距離Ｙ０＝０．８ｍ離れた位置に配置される。
−主要反射部材５０は楕円状扇形であり、楕円は下記の楕円によって規定される回転楕円体である。
第１焦点Ｘ＝０，Ｙ＝０，Ｚ＝０ｍｍ
第２焦点Ｘ＝０，Ｙ＝０，Ｚ＝２８０ｍｍ
楕円状の点Ｘ＝５６．５，Ｙ＝０，Ｚ＝４９．２ｍｍ
偏心＝０．８９５９０２
【００７１】
また、この楕円はｚ軸に垂直な平面によって切断され、第１焦点からｚ＝４９．２ｍｍに配置され、照明器具の端部１３を作り出す。
−続いて、照明器具１が、最終的に表面２の底部を指し、約−１６６°の角度で傾斜するよう、自身の光源（０，０，０）のまわりを回転される。
−２つの照明器具１の間の距離は、約１．２ｍである。
−二次光学素子４０は、６つの楕円のブーリアン合併によって構成され、各楕円は基準楕円の６つの回転（下記の６つの回転の定義を参照）によって構成され、基準楕円は回転楕円体であり、以下の楕円によって構成される。
第１焦点Ｘ＝０，Ｙ＝０，Ｚ＝０ｍｍ
第２焦点Ｘ＝０，Ｙ＝０，Ｚ＝８０ｍｍ
楕円状の点Ｘ＝０，Ｙ＝９．６，Ｚ＝０ｍｍ
偏心＝０．８８７１７４
上記６つの楕円を規定するためのこの基準楕円の回転は、第１焦点を軸として行われる。
第１楕円４６
回転方向Ｘ＝−８４，Ｙ＝６６，Ｚ＝１５０ｍｍ
第２楕円４６’
回転方向Ｘ＝８４，Ｙ＝６６，Ｚ＝１５０ｍｍ
第３楕円４５
回転方向Ｘ＝−７６．５，Ｙ＝９３．５，Ｚ＝１６５ｍｍ
第４楕円４５’
回転方向Ｘ＝７６．５，Ｙ＝９３．５，Ｚ＝１６５ｍｍ
第５楕円４３
回転方向Ｘ＝−４４，Ｙ＝１２１，Ｚ＝１８０ｍｍ
第６楕円４３’
回転方向Ｘ＝４４，Ｙ＝１２１，Ｚ＝１８０ｍｍ
【００７２】
上記６つの楕円のブーリアン合併は、
−最終的に凹面の楕円状の扇形を有するために、楕円を隣接する楕円との交点において切断し、
−端部４１（図３）に従って、以下に規定される他の回転楕円体（「切断楕円」）によってさらに切断される。
第１焦点Ｘ＝０，Ｙ＝０，Ｚ＝０ｍｍ
第２焦点Ｘ＝０，Ｙ＝０，Ｚ＝４００ｍｍ
楕円上の点Ｘ＝０，Ｙ＝１２．８，Ｚ＝０ｍｍ
偏心＝０．９６８５１２
また、この「切断楕円」は、Ｚ＝４８．２４ｍｍ及びＺ＝０ｍｍにおいて、２つの水平面によって切断される。その後、二次光学素子４０は主要反射部材５０、第１端部１に配置される。
【００７３】
本発明は図面及び明細書において詳細に説明されてきたが、かかる説明はあくまで説明的又は例示的であり、制限的と考えられるべきではない。本発明は開示の実施形態に限定されず、当業者は、特に二次反射要素の数及び配置に関して、明らかに本発明の教示を適合できる。例えば、二次反射要素の数は６又は８に限定されず、より多くても少なくてもよいし、偶数でも奇数でもよい。当業者は、例えば二次光学素子に２つの楕円状扇形のみを設けることができる。所望の照明均等性のために、より多くの楕円状扇形を加える必要がないからである。また、これらの二次反射要素は楕円状でなくてもよく、他の形状（円筒、円錐の一部、又は多項式関数から計算されてもよい）。また、本発明は、本発明に係る照明器具の複数からなる光学システムを含み、特に、照明表面上に大きな光バンドを得るために、かかる照明器具が並べられたマトリックスアレイを有する光学システムを含む。
【００７４】
当業者は、本発明を実施するに当たり、図面、明細書、及び特許請求の範囲を参照することで、開示の実施形態の他の変形例を理解し実行できるであろう。特許請求の範囲において、「含む（又は有する若しくは備える）」という用語は他の要素又はステップを除外せず、要素は複数を除外しない。
【図１−２】
2014525656.tif 000003
【図３】
2014525656.tif 000004
【図４Ａ】
2014525656.tif 000005
【図４Ｂ】
2014525656.tif 000006
【図５Ａ】
2014525656.tif 000007
【図５Ｂ】
2014525656.tif 000008
【図５Ｃ】
2014525656.tif 000009
【図５Ｄ】
2014525656.tif 000010
【図６Ａ】
2014525656.tif 000011
【図６Ｂ】
2014525656.tif 000012
【図６Ｃ】
2014525656.tif 000013
【図７】
2014525656.tif 000014
【図８】
2014525656.tif 000015
【国際調査報告】
2014525656.tif 000016
2014525656.tif 000017